(57)【要約】【課題】外縁部がめくれ上がりにくくカバーシートが溶着されたプッシュスイッチを提供する。【解決手段】プッシュスイッチ１００では、上方側が開口１ｂとなっており、内部に固定接点部１ｃが設けられるとともに可動接点部材３を収容する収容部１ａを備えたケース１と、開口１ｂを覆うように溶着によりケース１の上面に取り付けられるカバーシートと、を有しているプッシュスイッチにおいて、ケース１の上面は、カバーシートとの間で溶着される被溶着部１ｄとなっており、開口１ｂの周囲の全周に渡って溶着される全周溶着部分ＳＰと、少なくとも一部においてカバーシートの外縁部まで溶着される外縁溶着部分ＯＰと、がカバーシートとケース１の被溶着部１ｄとの間で形成されて、カバーシートがケース１の上面に取り付けられている、構成とした。【選択図】図６
2015149149.tif 000002
【特許請求の範囲】
【請求項１】
上方側が開口となっており、内部に固定接点部が設けられるとともに可動接点部材を収容する収容部を備えたケースと、
前記開口を覆うように溶着により前記ケースの上面に取り付けられるカバーシートと、を有しているプッシュスイッチにおいて、
前記ケースの上面は、前記カバーシートとの間で溶着される被溶着部となっており、
前記開口の周囲の全周に渡って溶着される全周溶着部分と、少なくとも一部において前記カバーシートの外縁部まで溶着される外縁溶着部分と、が前記カバーシートと前記ケースの被溶着部との間で形成されて、前記カバーシートが前記ケースの上面に取り付けられている、
ことを特徴とするプッシュスイッチ。
【請求項２】
前記ケースの被溶着部と前記カバーシートとの間は溶着により溶着層が形成されており、
前記外縁溶着部分の溶着層は、前記全周溶着部分の溶着層よりも薄く形成されている、
ことを特徴とする請求項１に記載のプッシュスイッチ。
【請求項３】
前記カバーシートと前記ケースの被溶着部との間には、前記開口の縁部まで溶着される内縁溶着部分が形成されている、
ことを特徴とする請求項１または請求項２に記載のプッシュスイッチ。
【請求項４】
前記内縁溶着部分の溶着層は、前記全周溶着部分の溶着層よりも薄く形成されている、
ことを特徴とする請求項３に記載のプッシュスイッチ。
【請求項５】
前記ケースは、前記収容部の内部側面から突出する突出部を有し、
前記突出部は、前記可動接点部材を上方から平面視した時の外形に沿うように突出するとともに、前記収容部の内部底面から前記開口の縁部まで連続して形成され、
前記突出部の上面は、前記被溶着部であり、前記カバーシートと溶着されている、
ことを特徴とする請求項１ないし請求項４のいずれかに記載のプッシュスイッチ。
【請求項６】
前記ケース及び前記カバーシートを上方から平面視したとき、前記カバーシートの外形形状は、前記ケースの外形形状に沿うように形成されるとともに、前記ケースの外形形状の内側に収まる形状に形成され、
前記カバーシートの、前記開口を挟んで対向する位置において、前記ケースと前記カバーシートは少なくとも一部が粘着材により粘着されている、
ことを特徴とする請求項１ないし請求項５のいずれかに記載のプッシュスイッチ。
【請求項７】
前記カバーシートと前記可動接点部材との間に配置された押し子部材を有し、
前記カバーシートと前記押し子部材とは溶着されている、
ことを特徴とする請求項１ないし請求項６のいずれかに記載のプッシュスイッチ。
【発明の詳細な説明】
【技術分野】
【０００１】
本発明は、プッシュスイッチに関し、特に、密封用のシートがケースに溶着されたプッシュスイッチに関するものである。
【背景技術】
【０００２】
プッシュスイッチにおいては、可動接点などを収納するために、ケースに収納用の空間が設けられている。使用用途によっては、プッシュスイッチは、ケースに設けられた収納用の空間を密閉することが求められることがある。収納用の空間を密閉するために、収納用空間の開口をシートで覆い、シートとケースとを溶着により固定したプッシュスイッチがある。このようなプッシュスイッチとしては、下記の特許文献１に記載のプッシュスイッチが知られている。
【０００３】
以下、図７を用いて、特許文献１に記載のプッシュスイッチについて説明する。図７は特許文献１に記載のプッシュスイッチ９００の外観を示す斜視図である。
【０００４】
特許文献１に記載のプッシュスイッチ９００は、スイッチ接点部が配設されたケース９１１上が保護シート９１５で覆われて構成されるプッシュスイッチであって、保護シート９１５はレーザー照射によりケース９１１に溶着固定され、かつその溶着固定箇所が保護シート９１５の粘着代にあたる範囲内において部分的な線状の第一の溶着固定箇所９２１で溶着固定されている構成となっている。
【先行技術文献】
【特許文献】
【０００５】
【特許文献１】特開２０１３−５８３８０号公報
【発明の概要】
【発明が解決しようとする課題】
【０００６】
特許文献１に記載のプッシュスイッチ９００は、保護シート９１５を線状の第一の溶着固定箇所９２１でケース９１１に溶着固定し、ケース９１１に設けられた収納用の空間を密閉している。しかしながら、プッシュスイッチ９００は、第一の溶着固定箇所９２１が線状に設けられているため、保護シート９１５の外縁部がケース９１１に溶着されていない。溶着されていない保護シート９１５の外縁部は、半田付けなどの加熱によりめくれ上がり、めくれ上がった外縁部がプッシュスイッチ９００を操作するための操作つまみに接触し操作感触が悪くなるなどの不具合が発生する恐れがあった。
【０００７】
本発明は、上述した課題を解決して、外縁部がめくれ上がりにくくカバーシートが溶着されたプッシュスイッチを提供するものである。
【課題を解決するための手段】
【０００８】
請求項１に記載のプッシュスイッチにおいては、上方側が開口となっており、内部に固定接点部が設けられるとともに可動接点部材を収容する収容部を備えたケースと、前記開口を覆うように溶着により前記ケースの上面に取り付けられるカバーシートと、を有しているプッシュスイッチにおいて、前記ケースの上面は、前記カバーシートとの間で溶着される被溶着部となっており、前記開口の周囲の全周に渡って溶着される全周溶着部分と、少なくとも一部において前記カバーシートの外縁部まで溶着される外縁溶着部分と、が前記カバーシートと前記ケースの被溶着部との間で形成されて、前記カバーシートが前記ケースの上面に取り付けられている、という特徴を有する。
【０００９】
請求項２に記載のプッシュスイッチにおいては、前記ケースの被溶着部と前記カバーシートとの間は溶着により溶着層が形成されており、前記外縁溶着部分の溶着層は、前記全周溶着部分の溶着層よりも薄く形成されている、という特徴を有する。
【００１０】
請求項３に記載のプッシュスイッチにおいては、前記カバーシートと前記ケースの被溶着部との間には、前記開口の縁部まで溶着される内縁溶着部分が形成されている、という特徴を有する。
【００１１】
請求項４に記載のプッシュスイッチにおいては、前記内縁溶着部分の溶着層は、前記全周溶着部分の溶着層よりも薄く形成されている、という特徴を有する。
【００１２】
請求項５に記載のプッシュスイッチにおいては、前記ケースは、前記収容部の内部側面から突出する突出部を有し、前記突出部は、前記可動接点部材を上方から平面視した時の外形に沿うように突出するとともに、前記収容部の内部底面から前記開口の縁部まで連続して形成され、前記突出部の上面は、前記被溶着部であり、前記カバーシートと溶着されている、という特徴を有する。
【００１３】
請求項６に記載のプッシュスイッチにおいては、前記ケース及び前記カバーシートを上方から平面視したとき、前記カバーシートの外形形状は、前記ケースの外形形状に沿うように形成されるとともに、前記ケースの外形形状の内側に収まる形状に形成され、前記カバーシートの、前記開口を挟んで対向する位置において、前記ケースと前記カバーシートは少なくとも一部が粘着材により粘着されている、という特徴を有する。
【００１４】
請求項７に記載のプッシュスイッチにおいては、前記カバーシートと前記可動接点部材との間に配置された押し子部材を有し、前記カバーシートと前記押し子部材とは溶着されている、という特徴を有する。
【発明の効果】
【００１５】
請求項１の発明によれば、カバーシートが開口の周囲の全周に渡って溶着されるととともに、少なくとも一部においてカバーシートの外縁部まで溶着されることでケースに取り付けられている。このように、少なくとも一部においてカバーシートの外縁部までカバーシートが溶着されることで、カバーシートの外縁部がめくれ上がることを抑制することができる。したがって、外縁部がめくれ上がりにくくシートが溶着されたプッシュスイッチを提供することができる、という効果を奏する。
【００１６】
請求項２の発明によれば、外縁溶着部分の溶着層を薄くしたことで、溶着時に外縁溶着部分にかかる熱エネルギーを小さく押さえることができる。そのため、過剰な熱エネルギーによりケースの外形部にダレが発生するのを抑制することができる。したがって、カバーシートの外縁部がめくれ上がりにくく、ケースの外形部にダレのないプッシュスイッチを提供することができる、という効果を奏する。
【００１７】
請求項３の発明によれば、開口の縁部まで溶着することで、操作時にカバーシートがヨレ難くなる。カバーシートがヨレ難くなることで、操作感触の劣化を抑制することができる、という効果を奏する。
【００１８】
請求項４の発明によれば、内縁溶着部分の溶着層を薄くしたことで、溶着時に内縁溶着部分にかかる熱エネルギーを小さく押さえることができる。そのため、過剰な熱エネルギーにより開口の縁部にダレが発生するのを抑制することができる。よって、開口の縁部のダレにより発生することが考えられる、操作感触の劣化、可動接点部材の動作不具合、可動接点部材と固定接点部材との接触不良などを抑制することができる。したがって、操作感触が良く、不具合が発生しにくいプッシュスイッチを提供することができる、という効果を奏する。
【００１９】
請求項５の発明によれば、突出部を可動接点部材の外形に沿うように突出形成することで、組み立て時に可動接点部材が突出部に沿って配置されるため、組み立てが容易になる。また、突出部を開口の縁部の位置まで設けることで、突出部の上面を被溶着部とすることができ、溶着面積を増加させることで密閉性を向上させることができる。したがって、組み立て性が良く、収容部の密閉性の良いプッシュスイッチを提供することができる、という効果を奏する。
【００２０】
請求項６の発明によれば、開口を挟んで対向する位置において、カバーシートをケースに粘着材により粘着することで溶着前に仮止めしておき、溶着時の位置ずれを防ぐことができる。したがって、収容部の密閉性をより確実に確保することができるプッシュスイッチを提供することができる、という効果を奏する。
【００２１】
請求項７の発明によれば、カバーシートと可動接点部材との間に押し子部材を設けることで、可動接点部材の所定の範囲に操作力を集中させることができる。また、カバーシートと押し子部材とを溶着することで、可動接点部材と押し子部材との接触位置がずれ難くなる。したがって、操作感触が安定しているプッシュスイッチを提供することができる、という効果を奏する。
【００２２】
以上より、本発明によれば、外縁部がめくれ上がりにくくカバーシートが溶着されたプッシュスイッチを提供することができる。
【図面の簡単な説明】
【００２３】
【図１】第１実施形態におけるプッシュスイッチ１００の構成を示す分解斜視図である。
【図２】第１実施形態におけるプッシュスイッチ１００を示す図であり、図２（ａ）はプッシュスイッチ１００の外観を示す斜視図であり、図２（ｂ）は図２（ａ）に示すＺ１方向側から見た状態のプッシュスイッチ１００の外観を示す平面図である。
【図３】第１実施形態における可動接点部材３を示す図で、図３（ａ）は可動接点部材３の外観を示す斜視図であり、図３（ｂ）は図３（ａ）に示すＹ２方向側から見た状態の可動接点部材３を示す側面図である。
【図４】第１実施形態におけるケース１を示す図であり、図４（ａ）はケース１の外観を示す斜視図であり、図４（ｂ）は図４（ａ）に示すＺ１方向側から見た状態のケース１を示す平面図である。
【図５】図２に記載の断面Ｂ−Ｂを示す模式断面図であり、図５（ａ）は操作される前のプッシュスイッチ１００を示す断面図であり、図５（ｂ）は操作されたプッシュスイッチ１００を示す断面図である。
【図６】第１実施形態における、全周溶着部分ＳＰ、外縁溶着部分ＯＰおよび内縁溶着部分ＩＰのおおよその箇所を示す模式図である。
【図７】特許文献１に記載のプッシュスイッチ９００の外観を示す斜視図である。
【発明を実施するための形態】
【００２４】
［第１実施形態］
以下に第１実施形態におけるプッシュスイッチについて説明する。
【００２５】
まず始めに本実施形態におけるプッシュスイッチの構成について図１ないし図４を用いて説明する。図１は第１実施形態におけるプッシュスイッチ１００の構成を示す分解斜視図である。図２は第１実施形態におけるプッシュスイッチ１００を示す図であり、図２（ａ）はプッシュスイッチ１００の外観を示す斜視図であり、図２（ｂ）は図２（ａ）に示すＺ１方向側から見た状態のプッシュスイッチ１００の外観を示す平面図である。図３は第１実施形態における可動接点部材３を示す図で、図３（ａ）は可動接点部材３の外観を示す斜視図であり、図３（ｂ）は図３（ａ）に示すＹ２方向側から見た状態の可動接点部材３を示す側面図である。図４は第１実施形態におけるケース１を示す図であり、図４（ａ）はケース１の外観を示す斜視図であり、図４（ｂ）は図４（ａ）に示すＺ１方向側から見た状態のケース１を示す平面図である。
【００２６】
プッシュスイッチは、図１に示すように、ケース１と、カバーシート２と、可動接点部材３と、押し子部材４と、を有し、図２に示すように、略直方体状に形成される。
【００２７】
可動接点部材３は金属薄板からなり、図３に示すように、上方（Ｚ１方向側）から平面視すると略長方形状に形成されている。また、可動接点部材３は、中央部が上方へ突出しドーム状に形成されたドーム部３ａを有し、長手方向（Ｘ１−Ｘ２方向）の両端にはドーム部３ａに連続して脚部３ｂが形成されている。なお、ドーム部３ａの最も突出している箇所を頂部３ｃとする。可動接点部材３は弾性を備え、頂部３ｃ側を押圧されると撓んだ後に反転動作するとともに、押圧が解除されると押圧前の状態に戻る。
【００２８】
ケース１は、光が透過しにくい黒色などの暗色系の合成樹脂材からなり、金属板がインサート成型されている。ケース１は、図４に示すように、上方側が開口１ｂとなっており、内部に固定接点部１ｃが設けられるとともに可動接点部材３を収納可能な大きさの凹形状に形成された収容部１ａを備えている。また、ケース１は、収容部１ａの内部側面から突出する突出部１ｅを有している。突出部１ｅは、可動接点部材３を上方（図３に示すＺ１方向側）から平面視した時の外形に沿うように突出するとともに、収容部１ａの内部底面から開口１ｂの縁部まで連続して形成されている。また、突出部１ｅの上面を含むケース１の上面は、溶着を行うことが可能な被溶着部１ｄとなっている。ケース１にインサート成型された金属板は、収容部１ａの内部底面と、ケース１の長手方向（Ｘ１−Ｘ２方向）における両端から露出している。収容部１ａの内部底面に露出した金属板は固定接点部１ｃを形成し、固定接点部１ｃは収容部１ａの内部底面の中央に設けられた中央接点部１ｆと、収容部１ａの内部底面の四隅に設けられた外周接点部１ｇと、からなり、中央接点部１ｆと外周接点部１ｇとは電気的に絶縁されている。なお、中央接点部１ｆは三分割された円形状に露出しており、三分割された中央接点部１ｆは、それぞれ電気的に接続されているとともに、４つの外周接点部１ｇ同士はそれぞれ電気的に接続されている。また、ケース１の長手方向の一方（Ｘ２方向側）に突出した金属板は、外部と電気的に接続可能な第１接続端子１ｈを形成し、他方へ突出した金属板は第２接続端子１ｋを形成している。なお、中央接点部１ｆと第１接続端子１ｈとは電気的に接続されるとともに、外周接点部１ｇと第２接続端子１ｋとは電気的に接続されている。
【００２９】
カバーシート２は光を透過可能な合成樹脂材のシートからなり、図１に示すように、長方形状に形成されている。カバーシート２を上方（Ｚ１方向側）から平面視したとき、図２に示すように、カバーシート２は開口１ｂを覆うことが可能な大きさであり、カバーシート２の外形形状は、ケース１の外形形状に沿うように形成されるとともに、ケース１の外形形状の内側に収まる形状に形成されている。また、カバーシート２の、図２に示すＡ部領域内の裏面（Ｚ２方向側の面）には、粘着性を備えた粘着材が設けられている。
【００３０】
押し子部材４は光が透過しにくい黒色などの暗色系の合成樹脂材からなり、図１に示すように、半球状に形成されている。
【００３１】
次にプッシュスイッチ１００の構造について図２、図５および図６を用いて説明する。図５は図２に記載の断面Ｂ−Ｂを示す模式断面図であり、図５（ａ）は操作される前のプッシュスイッチ１００を示す断面図であり、図５（ｂ）は操作されたプッシュスイッチ１００を示す断面図である。なお、図５においては、説明を容易にするために、各構成部品の厚さ寸法の比率や外周接点部１ｇの位置など実際の構造と異なる部分もある。図６は第１実施形態における、全周溶着部分ＳＰ、外縁溶着部分ＯＰおよび内縁溶着部分ＩＰのおおよその箇所を示す模式図である。
【００３２】
図５に示すように、カバーシート２の粘着材が設けられた面（図２参照）の中央部に、押し子部材４は半球面がカバーシート２に接触するように配置され、カバーシート２と押し子部材４の半球面の一部とは溶着され、押し子部材４はカバーシート２に固定される。なお、溶着は、カバーシート２側からのレーザー光の照射により熱エネルギーを与えることで行う。レーザー光による溶着以外の方法、例えば、超音波溶着で溶着しても良い。また、ケース１は、可動接点部材３を収容部１ａに収容する。収容部１ａに収容された可動接点部材３は頂部３ｃが上方（Ｚ１方向側）になるとともに、脚部３ｂが外周接点部１ｇに接触するように配置される。また、可動接点部材３は突出部１ｅに案内されて配置される。カバーシート２は、押し子部材４と可動接点部材３とが対向するとともに、開口１ｂを覆うようにケース１の上面に取り付けられ、粘着材により粘着される。すなわち、カバーシート２の、開口１ｂを挟んで対向する位置において、ケース１とカバーシート２とは少なくとも一部が粘着材により粘着され、仮止めされる。カバーシート２と可動接点部材３との間に配置された押し子部材４は、可動接点部材３の頂部３ｃに対応した位置に配置される。また、図２に示すように、ケース１及びカバーシート２を上方から平面視したとき、カバーシート２はケース１の外形形状の内側に収まっている。また、カバーシート２は、押し子部材４に対応する箇所が上方へ突出したように形成される。このように仮止めされたケース１とカバーシート２とは、ケース１の上面および突出部１ｅの上面である被溶着部１ｄとカバーシート２との間で溶着され、溶着により取り付けられる。このとき、粘着材により仮止めしている部分を除いて溶着されることとなる。
【００３３】
なお、図６に示すように、カバーシート２（図５参照）とケース１の被溶着部１ｄとの間には、開口１ｂの周囲の全周に渡って溶着される全周溶着部分ＳＰと、少なくとも一部においてカバーシート２の外縁部まで溶着される外縁溶着部分ＯＰと、開口１ｂの縁部まで溶着される内縁溶着部分ＩＰと、が形成され、カバーシート２がケース１の上面（被溶着部１ｄ）に取り付けられている。
【００３４】
また、図５に示すように、ケース１の被溶着部１ｄとカバーシート２との間は溶着により溶着層ＷＬが形成されている。外縁溶着部分ＯＰに対応する箇所の溶着層ＷＬは、全周溶着部分ＳＰに対応する箇所の溶着層ＷＬよりも薄く形成されており、内縁溶着部分ＩＰに対応する箇所の溶着層ＷＬは、全周溶着部分ＳＰに対応する箇所の溶着層ＷＬよりも薄く形成されている。なお、カバーシート２とケース１との溶着は、粘着材が粘着されている部分以外の部分に、カバーシート２の上方側からレーザー光を照射し、ケース１の被溶着部１ｄとカバーシート２との間に熱エネルギーを与えることで溶着している。なお、レーザー光による熱エネルギーを変える方法として、例えば、レーザー光の出力を調整することで、レーザー光により与えられる熱エネルギーが変わり、溶着層ＷＬの厚さを変えることができる。例えば、レーザー光の出力を大きくすると熱エネルギーが大きくなり、溶着層ＷＬの厚さは厚くなり、レーザー光の出力を小さくすると熱エネルギーが小さくなり溶着層ＷＬの厚さは薄くなる。このようにレーザー光の出力により熱エネルギーを調整することで、全周溶着部分ＳＰ、外縁溶着部分ＯＰおよび内縁溶着部分ＩＰにおける溶着層ＷＬの厚さを異ならせることができる。また、レーザー光による溶着方法を説明したが、超音波溶着など、別の方法で溶着しても良い。
【００３５】
次にプッシュスイッチ１００の動作について図５を用いて説明する。
【００３６】
操作前に状態においては、図５（ａ）に示すように、プッシュスイッチ１００は、可動接点部材３と中央接点部１ｆとは離間しており、中央接点部１ｆと外周接点部１ｇとは電気的に接続されていない状態である。次に、図５（ｂ）に示すように、カバーシート２および押し子部材４を介して可動接点部材３を下方（Ｚ２方向）へ押圧すると、可動接点部材３は頂部３ｃの近くを押圧され、下方へ撓んだ後に反転動作し、頂部３ｃの裏面側が中央接点部１ｆに接触する。可動接点部材３と中央接点部１ｆとが接触することで、可動接点部材３を介して、中央接点部１ｆと外周接点部１ｇとが電気的に接続される。また、可動接点部材３への押圧を解除すると、可動接点部材３の弾性力により、プッシュスイッチ１００は操作前の状態に戻る。このように、可動接点部材３を押圧操作し、中央接点部１ｆと外周接点部１ｇとの電気的な接続状態を切り替えることで、プッシュスイッチ１００はプッシュスイッチとして機能する。
【００３７】
以下、本実施形態としたことによる効果について説明する。
【００３８】
第１実施形態のプッシュスイッチ１００では、上方側が開口１ｂとなっており、内部に固定接点部１ｃが設けられるとともに可動接点部材３を収容する収容部１ａを備えたケース１と、開口１ｂを覆うように溶着によりケース１の上面に取り付けられるカバーシート２と、を有しているプッシュスイッチにおいて、ケース１の上面は、カバーシート２との間で溶着される被溶着部１ｄとなっており、開口１ｂの周囲の全周に渡って溶着される全周溶着部分ＳＰと、少なくとも一部においてカバーシート２の外縁部まで溶着される外縁溶着部分ＯＰと、がカバーシート２とケース１の被溶着部１ｄとの間で形成されて、カバーシート２がケース１の上面に取り付けられている、構成とした。
【００３９】
これにより、カバーシート２が、全周溶着部分ＳＰで開口１ｂの周囲の全周に渡って溶着されるととともに、外縁溶着部分ＯＰで少なくとも一部においてカバーシート２の外縁部まで溶着されることで、ケース１に取り付けられている。このように、少なくとも一部においてカバーシート２の外縁部までカバーシート２がケース１に溶着されることで、カバーシート２の外縁部がめくれ上がることを抑制することができる。したがって、外縁部がめくれ上がりにくくシートが溶着されたプッシュスイッチを提供することができる、という効果を奏する。
【００４０】
また、第１実施形態のプッシュスイッチ１００では、ケース１の被溶着部１ｄとカバーシート２との間は溶着により溶着層ＷＬが形成されており、外縁溶着部分ＯＰの溶着層ＷＬは、全周溶着部分ＳＰの溶着層ＷＬよりも薄く形成されている、構成とした。
【００４１】
これにより、外縁溶着部分ＯＰの溶着層ＷＬを薄くしたことで、溶着時に外縁溶着部分ＯＰにかかる熱エネルギーを小さく押さえることができる。そのため、過剰な熱エネルギーによりケース１の外形部にダレが発生するのを抑制することができる。したがって、カバーシート２の外縁部がめくれ上がりにくく、ケース１の外形部にダレのないプッシュスイッチを提供することができる、という効果を奏する。
【００４２】
また、第１実施形態のプッシュスイッチ１００では、カバーシート２とケース１の被溶着部１ｄとの間には、開口１ｂの縁部まで溶着される内縁溶着部分ＩＰが形成されている、構成とした。
【００４３】
これにより、少なくとも一部において開口１ｂの縁部までカバーシート２を溶着することで、操作時にカバーシート２がヨレ難くなる。カバーシート２がヨレ難くなることで、操作感触の劣化を抑制することができる、という効果を奏する。
【００４４】
また、カバーシート２と可動接点部材３との間に押し子部材４が配置されているが、少なくとも一部において開口１ｂの縁部までカバーシート２を溶着することで、押し子部材４が可動接点部材３を押圧する箇所がずれることを抑制することができる。したがって、操作感触の変化や劣化を抑制することができる。
【００４５】
また、第１実施形態のプッシュスイッチ１００では、内縁溶着部分ＩＰの溶着層ＷＬは、全周溶着部分ＳＰの溶着層ＷＬよりも薄く形成されている、構成とした。
【００４６】
これにより内縁溶着部分ＩＰの溶着層ＷＬを薄くしたことで、溶着時に内縁溶着部分ＩＰにかかる熱エネルギーを小さく押さえることができる。そのため、過剰な熱エネルギーにより開口１ｂの縁部にダレが発生するのを抑制することができる。よって、開口１ｂの縁部のダレにより発生することが考えられる、操作感触の劣化、可動接点部材３の動作不具合、可動接点部材３と固定接点部１ｃ材との接触不良などを抑制することができる。したがって、操作感触が良く、不具合が発生しにくいプッシュスイッチを提供することができる、という効果を奏する。
【００４７】
また、第１実施形態のプッシュスイッチ１００では、ケース１は、収容部１ａの内部側面から突出する突出部１ｅを有し、突出部１ｅは、可動接点部材３を上方から平面視した時の外形に沿うように突出するとともに、収容部１ａの内部底面から開口１ｂの縁部まで連続して形成され、突出部１ｅの上面は、被溶着部１ｄであり、カバーシート２と溶着されている、構成とした。
【００４８】
これにより、突出部１ｅを可動接点部材３の外形に沿うように突出形成することで、組み立て時に可動接点部材３が突出部１ｅに沿って配置されるため、組み立てが容易になる。また、突出部１ｅを開口１ｂの縁部の位置まで設けることで、突出部１ｅの上面を被溶着部１ｄとすることができ、溶着面積を増加させることで密閉性を向上させることができる。したがって、組み立て性が良く、収容部１ａの密閉性の良いプッシュスイッチを提供することができる、という効果を奏する。
【００４９】
また、第１実施形態のプッシュスイッチ１００では、ケース１及びカバーシート２を上方から平面視したとき、カバーシート２の外形形状は、ケース１の外形形状に沿うように形成されるとともに、ケース１の外形形状の内側に収まる形状に形成され、カバーシート２の、開口１ｂを挟んで対向する位置において、ケース１とカバーシート２は少なくとも一部が粘着材により粘着されている、構成とした。
【００５０】
これにより、開口１ｂを挟んで対向する位置、第１実施携帯においては、カバーシート２の長手方向における両端部において、カバーシート２をケース１に粘着材により粘着することで溶着前に仮止めしておき、溶着時の位置ずれを防ぐことができる。したがって、収容部１ａの密閉性をより確実に確保することができるプッシュスイッチを提供することができる、という効果を奏する。
【００５１】
また、第１実施形態のプッシュスイッチ１００では、カバーシート２と可動接点部材３との間に配置された押し子部材４を有し、カバーシート２と押し子部材４とは溶着されている、構成とした。
【００５２】
これにより、カバーシート２と可動接点部材３との間に押し子部材４を設けることで、可動接点部材３の所定の範囲に操作力を集中させることができる。また、カバーシート２と押し子部材４とを溶着することで、可動接点部材３と押し子部材４との接触位置がずれ難くなる。したがって、操作感触が安定しているプッシュスイッチを提供することができる、という効果を奏する。
【００５３】
以上のように、本発明の実施形態に係るプッシュスイッチを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５４】
[変形例１]
第１実施形態において、全周溶着部分ＳＰは開口１ｂの周囲の全周に渡って溶着される構成とした。しかしながら、収容部１ａ内部の空気の逃げ場が無いため、プッシュスイッチ１００操作したときに操作感触が悪くなることや、最悪、プッシュスイッチとして機能しなくなるような不具合が発生する場合も考えられる。そのような不具合が発生する場合には、必要に応じて、実質的に密閉状態（空気の出入りはできるが水分の流入は防げる程度）保てる範囲で、全周溶着部分ＳＰ（外縁溶着部分ＯＰおよび内縁溶着部分ＩＰも含めて）の一部を途切れさせて、空気逃げを設けても良い。
【００５５】
[変形例２]
第１実施形態において、カバーシート２の長手方向の両端部に粘着材を設ける構成としたが、カバーシート２の仮止めが行え、開口１ｂを挟んで対向する位置であれば、粘着材の位置を変えても良い。
【００５６】
[変形例３]
第１実施形態において、カバーシート２の長手方向の両端部に粘着材を設ける構成としたが、カバーシート２の仮止めを別の手段により行えるのであれば、粘着材を設けなくても良い。
【００５７】
[変形例４]
第１実施形態において、可動接点部材３を１個用いる構成としたが、必要に応じて複数個重ねて用いる構成であっても良い。
【符号の説明】
【００５８】
１      ケース
１ａ    収容部
１ｂ    開口
１ｃ    固定接点部
１ｄ    被溶着部
１ｅ    突出部
１ｆ    中央接点部
１ｇ    外周接点部
１ｈ    第１接続端子
１ｋ    第２接続端子
２      カバーシート
３      可動接点部材
３ａ    ドーム部
３ｂ    脚部
３ｃ    頂部
４      押し子部材
１００  プッシュスイッチ
ＩＰ    内縁溶着部分
ＯＰ    外縁溶着部分
ＳＰ    全周溶着部分
ＷＬ    溶着層
【図１】
2015149149.tif 000003
【図２】
2015149149.tif 000004
【図３】
2015149149.tif 000005
【図４】
2015149149.tif 000006
【図５】
2015149149.tif 000007
【図６】
2015149149.tif 000008
【図７】
2015149149.tif 000009